(57)【特許請求の範囲】
【請求項１】
被取付体に形成された開口部に器具本体を挿入して取り付けるようにした器具の取付装置において、上記被取付体の開口部の表面側開口縁に一端が係合され他端に折り曲げ部を有する第１の可動取付具と、この第１の可動取付具に摺動自在に重合され一端が上記被取付体の裏面側開口縁に係合されるとともに左右一対の支持縁を形成した第２の可動取付具と、上記器具本体の外側面に固定された基部からＶ字状に延出され互いに開く方向に付勢される一対の線材からなる保持具とを備え、この保持具の線材を上記第２の可動取付具の一対の支持縁の内側に摺動自在に圧接させるとともに、上記第１の可動取付具の折り曲げ部が上記第２の可動取付具を上記折り曲げ部よりも上方へ摺動することを阻止するように係止することを特徴とする器具の取付装置。
【請求項２】
第２の可動取付具はテーパ面を有し、このテーパ面より器具本体側に支持縁及び被取付体の裏面側開口縁に係合する係合部を形成したことを特徴とする請求項１記載の器具の取付装置。
【請求項３】
第２の可動取付具の被取付体の裏面側開口縁に係合する係合部を上記被取付体側に突出させて形成し保持具の基部側に可動としたことを特徴とする請求項１記載の器具の取付装置。
【請求項４】
第１の可動取付具を線材で構成したことを特徴とする請求項１記載の器具の取付装置。
【請求項５】
保持具を器具本体側へ湾曲させたことを特徴とする請求項１記載の器具の取付装置。
【請求項６】
被取付体に形成された開口部に器具本体を挿入して取り付けるようにした器具の取付装置において、上記被取付体の開口部の表面側開口縁に一端が係合されるとともに左右一対の支持縁と上記被取付体の開口部の裏面側開口縁に係合する弾性体からなる係合片とを有する可動挟持取付具と、上記器具本体の外側面に固定された基部からＶ字状に延出され互いに開く方向に付勢される一対の線材からなる保持具とを備え、この保持具の線材を上記可動挟持取付具の支持縁の内側に摺動自在に圧接し、上記係合片を上記器具本体の上記被取付体への挿入時には上記保持具の先端部に係止させ、器具本体の取付時には上記被取付体の裏面側開口縁に係合するようにしたことを特徴とする器具の取付装置。
【請求項７】
保持具の先端側を直線状に形成し基部側を上記保持具の線材が開く方向に湾曲させて形成したことを特徴とする請求項１または請求項６記載の器具の取付装置。
【請求項８】
器具本体の側方に請求項１記載の器具の取付装置を設けたことを特徴とする照明器具。
【請求項９】
器具本体の側方に請求項６記載の器具の取付装置を設けたことを特徴とする照明器具。
【請求項１０】
器具本体は光反射鏡とこの光反射鏡の開口部周縁に設けられたフランジとからなることを特徴とする請求項８または請求項９記載の照明器具。
【発明の詳細な説明】
【０００１】
【産業上の利用分野】
この発明は、天井等の被取付体の開口部に照明器具等の器具を取り付けるための器具の取付装置及びこれを用いる照明器具に関するものである。
【０００２】
【従来の技術】
図８は、例えば実公昭６３−４８０２０号公報に示された従来の取付装置を備えた埋込型照明器具の一部斜視図を示す。図において、１１は天井の上面、１２は天井の下面、１３は天井開口部、１５は天井造営材、３１は器具の取付金具であり操作用つまみ３１ａと係止片３１ｂ及び天井上面接触部３１ｃを有している。また、３２は器具本体、３３は器具本体３２の側壁に設けられた案内スリット、３４は案内スリット３３の周囲に凸凹に形成された波状部、３５は器具本体のフランジである。
【０００３】
次に、従来の取付金具３１による器具本体３２の取り付け方について説明する。まず、取付金具３１を器具本体３２の側壁に設けられた案内スリット３３に、操作つまみ３１ａを器具本体３２の内側に位置させて設置する。このとき、器具本体３２を取り付けようとする天井造営材１５の厚みに応じて、天井上面接触部３１ｃとフランジ３５との距離を充分とっておく。
【０００４】
器具本体３２を天井開口部１３に入れ込むと、取付金具３１が天井開口部１３の周壁に接触しバネ弾性により開口穴に合わせて変形するが、この状態で取付金具３１が天井上面１１を越えるまで押し上げると取付金具３１は元の状態に復元する。
【０００５】
次に器具本体のフランジ３５が天井下面１２に密着するように片方の手で器具本体３２を押さえながら、器具本体３２の内側から操作つまみ３１ａを操作して天井上面接触部３１ｃが天井上面１１に接触するまで取付金具３１を押し下げる。取付金具３１は係止片３１ｂと波状部３４が係合することにより固定される。
【０００６】
【発明が解決しようとする課題】
従来の器具の取付装置は以上のように構成されているので、器具本体の内側に手を入れて小さな部品を操作しなければならず取り付けにくいという問題があった。また、照明器具の取付の際には事前に取付の邪魔となる光源や光反射鏡などを取り外さなければならず、更に、器具取付後は光源や光反射鏡を再装着するという手間を必要とした。
【０００７】
この発明は上記のような問題点を解決するためになされたものであり、器具本体の側方に独立した機構の取付装置を設け取付を容易にするとともに、照明器具の光反射鏡を器具本体と一体の構成として部品構成数を低減し製造コストを下げることを目的とする。
【０００８】
【課題を解決するための手段】
請求項１記載の発明に係る器具の取付装置は、被取付体に形成された開口部に器具本体を挿入して取り付けるようにした器具の取付装置において、上記被取付体の開口部の表面側開口縁に一端が係合され他端に折り曲げ部を有する第１の可動取付具と、この第１の可動取付具に摺動自在に重合され一端が上記被取付体の裏面側開口縁に係合されるとともに左右一対の支持縁を形成した第２の可動取付具と、上記器具本体の外側面に固定された基部からＶ字状に延出され互いに開く方向に付勢される一対の線材からなる保持具とを備え、この保持具の線材を上記第２の可動取付具の一対の支持縁の内側に摺動自在に圧接させるとともに、上記第１の可動取付具の折り曲げ部が上記第２の可動取付具を上記折り曲げ部よりも上方へ摺動することを阻止するように係止するものである。
【０００９】
請求項２記載の発明に係る器具の取付装置は、請求項１記載の器具の取付装置において、第２の可動取付具にテーパ面を形成し、このテーパ面より器具本体側に支持縁及び被取付体の裏面側開口縁に係合する係合部を形成したものである。
【００１０】
請求項３記載の発明に係る器具の取付装置は、請求項１記載の器具の取付装置において、被取付体の裏面側開口縁に係合する係合部を被取付体側に突出させて形成し保持具の基部側に可動としたものである。
【００１１】
請求項４記載の発明に係る器具の取付装置は、請求項１記載の器具の取付装置において、第１の可動取付具を線材で構成したものである。
【００１２】
請求項５記載の発明に係る器具の取付装置は、請求項１記載の器具の取付装置において、保持具を器具本体側へ湾曲させたものである。
【００１３】
請求項６記載の発明に係る器具の取付装置は、被取付体に形成された開口部に器具本体を挿入して取り付けるようにした器具の取付装置において、被取付体の開口部の表面側開口縁に一端が係合されるとともに左右一対の支持縁と被取付体の開口部の裏面側開口縁に係合する弾性体からなる係合片とを有する可動挟持取付具と、器具本体の外側面に固定された基部からＶ字状に延出され互いに開く方向に付勢される一対の線材からなる保持具とを備え、この保持具の線材を可動挟持取付具の支持縁の内側に摺動自在に圧接し、係合片を器具本体の被取付体への挿入時には保持具の先端部に係止させ、器具本体の取付時には被取付体の裏面側開口縁に係合するようにしたものである。
【００１４】
請求項７記載の発明に係る照明器具は、請求項１または請求項６記載の器具の取付装置において、保持具の先端側を直線状に形成し基部側を保持具の線材が開く方向に湾曲させて形成したものである。
【００１５】
請求項８記載の発明に係る照明器具は、器具本体の側方に請求項１記載の器具の取付装置を設けたものである。
【００１６】
請求項９記載の発明に係る照明器具は、器具本体の側方に請求項６記載の器具の取付装置を設けたものである。
【００１７】
請求項１０記載の発明に係る照明器具は、請求項８または請求項９記載の照明器具において、器具本体を光反射鏡と光反射鏡の開口部周縁に設けられたフランジとから構成したものである。
【００１８】
【作用】
請求項１記載の発明に係る器具の取付装置においては、器具本体を被取付体の開口部に挿入するだけで、保持具の線材の開く力により第１の可動取付具と第２の可動取付具とで被取付体が挟持されて器具が取り付けられる。すなわち、被取付体の開口部に器具本体を挿入し、第１の可動取付具の一端が被取付体の表面側開口縁に係合し動きを停止させられた後さらに器具本体を押し込むと、第１の可動取付具とともに動きを停止させられた第２の可動取付具の支持縁の内側を線材が摺動し、線材の開く力が支持縁の接触抵抗力を上回ると第２の可動取付具が保持具の基部の方向に移動させられ、被取付体の裏面側開口縁に係合した後は線材の開く力により器具本体が被取付体側に引き寄せられ、第１の可動取付具と第２の可動取付具とにより被取付体が挟持されて器具本体が取り付けられる。
【００１９】
請求項２記載の発明に係る器具の取付装置においては、器具本体を被取付体の開口部に挿入するだけで器具を取り付けられるとともに、第２の可動取付具の被取付体側にテーパ面を形成したので、器具本体を被取付体の開口部に挿入する際には開口部をテーパ面が摺動するようにして挿入される。
【００２０】
請求項３記載の発明に係る器具の取付装置においては、器具本体を被取付体の開口部に挿入するだけで器具を取り付けられるとともに、被取付体側に突出させて形成された第２の可動取付具の被取付体の裏面側開口縁に係合する係合部を保持具の基部側に可動としたため、器具本体を被取付体の開口部に挿入する際には第２の可動取付具の係合部が被取付体の表面側開口縁に当たり保持具の基部側に折り曲げられる。
【００２１】
請求項４記載の発明に係る器具の取付装置においては、器具本体を被取付体の開口部に挿入するだけで器具を取り付けられるとともに、第１の可動取付具を線材で構成しているので軽量化できる。
【００２２】
請求項５記載の発明に係る器具の取付装置においては、器具本体を被取付体の開口部に挿入するだけで器具を取り付けられるとともに、保持具の線材を器具本体側へ湾曲させたので、器具本体を被取付体の開口部に挿入する際に線材に取り付けた第１の可動取付具や第２の可動取付具が邪魔にならない。
【００２３】
請求項６記載の発明に係る器具の取付装置においては、係合片を保持具の先端部に係合させて器具本体を被取付体の開口部に挿入し、可動挟持取付具の一端が被取付体の表面側開口縁に係合した後さらに器具本体を押し入れると、線材が支持縁を摺動し係合片が保持具の先端部から外れ、被取付体の裏面側開口縁に係合して被取付体を挟持する。
【００２４】
請求項７記載の発明に係る器具の取付装置においては、器具本体を被取付体の開口部に挿入するだけで器具を取り付けられるとともに、可動挟持取付具が保持具の先端側の直線部分にあるときは、線材の開こうとする作用力よりも支持縁から受ける接触抵抗力の方が大きく可動取付具または可動挟持取付具が保持具の基部の方向に移動させられることはないため、器具本体を被取付体の開口部に挿入し始めてから取り付けられるまでにある程度の余裕がある。
【００２５】
請求項８記載の発明に係る照明器具においては、器具本体内の光源等を取り外さなくても、器具本体を被取付部の開口部に挿入するだけで、保持具の線材の開く力により第１の可動取付具と第２の可動取付具とで被取付体が挟持されて取り付けられる。
【００２６】
請求項９記載の発明に係る照明器具においては、器具本体内の光源等を取り外さなくても、器具本体を被取付部の開口部に挿入するだけで、保持具の線材の開く力により可動挟持取付具により被取付体が挟持されて取り付けられる。
【００２７】
請求項１０記載の発明に係る照明器具においては、器具本体を被取付体の開口部に挿入するだけで取り付けられるとともに、光反射鏡と光反射鏡の開口部周縁に設けられたフランジとを器具本体の一部として構成しているので光反射鏡も同時に取り付けられる。
【００２８】
【実施例】
実施例１．以下、この発明を天井埋込型照明器具に応用した一実施例を図を用いて説明する。図１において、１は内部に光源を取り付ける光反射鏡、２は光反射鏡１の下端周縁に設けられたフランジであり、光反射鏡１とフランジ２とで器具本体を形成している。３は保持具であるＶ形線バネであり、１本の線材の中央部をリング状に巻いて基部とし、基部から線材を延出させて互いに開く方向に付勢されるように形成されている。基部はフランジ２近傍の器具本体外側面に支持固定されている。固定はねじ止めによってもよいが、図３に示すように光反射鏡１の下部の一部を切り起こして基部を挿入し切り起こしの中央部を窪ませて固定すれば、光反射鏡１の表面の出っ張りが少なく取り付けの邪魔にならない。
【００２９】
４はＶ形線バネ３と組み合わされて器具本体を天井に取り付けるための取付金具である。この取付金具４は図１の左側の取付金具を分解して示しているように、第１の可動取付具であるＬ形可動金具６と第２の可動取付具であるＬ形溝付金具８とで構成されている。Ｌ形可動金具６は、下部をＬ形に折り曲げ天井下面接触部５を形成し上部に折り曲げ部７を形成して構成されており、Ｌ形溝付金具８は、左右両側の一部を内側にコの字状に折り曲げて支持縁である溝部９を形成し、下部をＬ形に折り曲げて天井上面接触部１０を形成して構成されている。
【００３０】
Ｌ形可動金具６、Ｌ形溝付金具８及びＶ形線バネ３を組み合わせるには、まずＬ形可動金具６をＬ形溝付金具８の溝部９に通し、折り曲げ部７によりＬ形溝付金具８の上部に引っ掛け、次にＶ形線バネ３の先端部を溝部９に通し摺動可能に弾接させる。この状態ではＶ形線バネ３は溝部９の側部内面に弾性接触しており、Ｌ形可動金具６はＶ形線バネ３の影響を受けない。
【００３１】
また、図２に取付装置を設けた器具本体を被取付体である天井に挿入した図を示しているが、図において、１１は天井上面、１２は天井下面、１３は天井開口部、１４は天井開口部側縁、１５は天井造営材である。
【００３２】
この取付金具４による器具本体の取り付けは次のようにして行なわれる。まず、取付金具４を図１の右側の取付金具４のようにＶ形線形バネ３の先端に位置させる。このときＬ形溝付金具８の天井上面接触部１０は天井開口部１３の径よりも外側へ張り出しているため、器具を天井開口部１３に入れる際には器具本体側へ寄せて天井開口部１３を通す。天井面上部接触部１０が天井上面を越え、器具本体側へ寄せていたＬ形溝付金具８を元に戻すと、図２に示すように、天井上面１１の側縁１４にＬ字形溝付金具８の天井上面接触部１０が引っ掛かり、仮吊りの状態となる。
【００３３】
器具本体を更に押し込むと、Ｌ形可動金具６の天井下面接触部５が天井下面１２に接触するまで、取付金具４はＶ形線バネ３の先端に位置したまま器具本体とともに上方に移動する。すなわち、Ｖ形線バネ３を挟み込んでいるＬ形溝付金具８が器具本体とともに上方へ移動し、折り曲げ部７によりＬ形溝付金具８に引っ掛けられているＬ形可動金具６も上方へ移動する。
【００３４】
Ｌ形可動金具６の天井下面接触部５が天井下面１２に係合した後、更に器具本体を押し込むと、Ｌ形可動金具６は天井下部１２により動きを停止させられ、Ｌ形溝付金具８も折り曲げ部７より上方へは移動できなくなるので、Ｖ形線バネ３がＬ形溝付金具８の溝部９をスライドし始める。Ｖ形線バネ３の開こうとする作用力が、溝部９に当たっている接触抵抗力を上回ると、Ｖ形線バネ３が開きながら上方にスライドするとともにＬ形溝付金具８は下方に移動させられる。Ｖ形線バネ３の開こうとする作用力が、溝部９に当たっている接触抵抗力を上回った後は、人が器具本体を押し上げる力をほとんどかけなくても、Ｖ形線バネ３の力により器具本体が上方へ引き上げられる。Ｌ形溝付金具８の天井上面接触部１０が天井上面に係合すると、Ｌ形溝付金具８の下方への動きは止まるため、Ｖ形線バネ３のみ、すなわち器具本体のみが上方へ移動し、最終的にフランジ２がバネ弾性力により天井下面１２に密着させられて取り付けられる。図４（ａ）に器具本体が取り付けられたときの取付金具４及びＶ形線バネ３の状態を正面から見た図を示す。また、その断面図を図４（ｂ）に示す。天井下面への密着はＶ形線バネに依っているので、振動などにより器具がずれ落ちて隙間が発生する恐れはない。
【００３５】
以上説明したように、この実施例においては、Ｖ形線バネ３の開こうとする作用を応用する際に、Ｖ形線バネ３とＬ形溝付金具８とが互いに可動側、固定側となって機能する。すなわち、Ｌ形溝付金具８はＶ形線バネ３が溝部９をスライドする際に固定されたままではなく、Ｖ形線バネ３の開こうとする力によって下方に移動させられ天井上面接触部１０が天井上面に当接するまでは可動である。このように、取付金具４が独立した構造で器具本体の側方に取り付けられて動作するため、器具本体の構造に依存する度合いが低く、活用範囲が広がるとともに設計の制約も少ない。
【００３６】
また、この実施例における取付金具によれば、取り付けに際して器具本体内部から小さな部品を操作する必要がなく、器具本体を押し込むだけで取り付けることができるため、取り付け時間を短縮できる。また、器具本体内部からの操作がなくなるので、光源や光反射鏡１などが結合されたまま作業を行なうことができる。さたに、光反射鏡等を器具本体と一体に形成しておくことができるため、部品構成数を低減でき、しかも光反射鏡等の落下の恐れがない。
【００３７】
また、器具の取り外しの際も、器具本体はＶ形線バネ３の保持力のみで取り付いているので、器具本体を押し下げるだけでＬ形溝付金具８の溝９をＶ形線バネがスライドして降り、簡単に取り外せる。さらに、器具本体が天井開口部１３から完全に外れる前に、Ｌ形溝付金具８の天井上面接触部１０が天井上面１１に接触し図２に示すような仮吊りの状態となり、Ｖ形線バネ３の先端に設けられた曲げ部が溝部９の上部に当たるため、器具の落下の恐れはない。
【００３８】
なお、この実施例においては取付金具４を器具本体側方の２か所に設けているが、器具本体の径が大きく重い場合には、３か所に設ければ、より確実に安定して取り付けることができる。
【００３９】
また、Ｖ形線バネ３は直線状でもよいが、図１に示すように湾曲させてもよい。このように形成すれば、薄い天井造営材でＶ形線バネ３の根元付近に溝９がきても開き力が弱くならず、天井造営材１５の種々の厚みに対応できる。バネの曲率はバネの太さ、溝部９の幅、器具の重さ等によって適当な値に決められる。また、曲げ方は、図１に示すようにＬ状に曲げても、Ｒ状に曲げてもよい。
【００４０】
実施例２．図５に本発明の第２の実施例を示す。取付金具４は上記の実施例１と同様であり、取付の動作もほぼ同様であるが、この実施例においてはＶ形線バネ１６を途中で折り曲げ、先端側を直線状に形成し基部側を湾曲させて形成している。Ｖ形線バネ１６をこのように形成すれば、Ｖ形線バネ１６が溝部９をスライドするときに、溝部９がＶ形線バネ１６の先端部から折り曲げ部までの間の直線部分にあるときはバネの開こうとする作用力よりも溝部９から受ける接触抵抗力の方が大きいため、Ｌ形溝付金具８が下方に押し下げられることはない。したがって、器具本体を天井開口部１３に挿入する際に、すぐにＶ形線バネ１６が開いて器具本体が取り付けられることはなく、ある程度の遊びがあるため取り付け易い。
【００４１】
実施例３．図６に本発明の第３の実施例を示す。図において、１８は一端に天井下面接触部１７を有し他端に折り曲げ部１９を有するＬ形可動金具であり、２０は線バネ３が内側に圧接する溝部２１と天井上面接触部２２を有するＬ形溝つき金具である。この実施例においてはＬ形溝付金具２０の天井上面接触部２２を溝部２１と同じように器具本体側に折り曲げて形成し、Ｌ形可動金具１８と組み合わせた際にテーパが形成されるように構成されている。このように形成すれば、器具本体を天井開口部に挿入する際、天井上面接触部２２が邪魔になることなく、テーパが天井開口部１３を摺動するため容易に挿入することができる。その他の取付の動作は上記の実施例１と同様である。
【００４２】
また、折り曲げ部１９は図１等に示すものよりも大きく形成されているが、このように形成しても同様の働きをする。
【００４３】
実施例４．図７に本発明の第４の実施例を示す。この実施例においては、Ｌ形溝付金具２４の天井上面接触部２５をコイルバネ２３を組み合わせることにより可動形としている。取付金具をこのような形状にすれば、天井開口部１３への挿入の際に天井上面接触部２５が天井開口部１３の縁に当たると下方へ折れ、天井を越えるとコイルバネ２３の力により元の位置に復元するため、取付金具４を器具本体側に寄せる必要はなく、器具の挿入が容易になる。その他の取付の動作は上記の実施例１と同様である
【００４４】
実施例５．図８に本発明の第５の実施例を示す。この実施例においてはＬ形可動金具２６を線材で形成した。Ｌ形可動金具２６の上端はＬ形溝付金具８の天井上面接触部に係合されており、この部分がＬ形溝付金具８の上方への動きを規制する働きをする。このように形成しても、上記の実施例１と同様の動作をして器具が取り付けられ、しかもＬ形可動金具を線材で形成したため軽量化が図れ、組立が容易である。
【００４５】
実施例６．図９に本発明の第６の実施例を示す。取付金具４の形状は上記実施例１と同様であり、天井への取付の動作もほぼ同様であるが、この実施例においてはＶ形線バネ２７を器具本体内側へ曲率を持って曲げて形成している。曲げの程度は、取付金具４をＶ形線バネ２７の先端に設置させたときに天井上面接触部１０が天井開口部１３の縁よりも内側に位置し、天井下面接触部５のみが天井開口部１３の縁に引っ掛かるように調整されている。このように形成すれば、取付金具４を器具本体側に寄せる必要がなく、器具の挿入が容易になる。
【００４６】
実施例７．図１０に本発明の第７の実施例を示す。この実施例においては、上記の実施例におけるＬ形溝付金具とＬ形可動金具を一体に形成して可動挟持取付具としている。可動挟持取付具はバネ鋼等で一体に形成されており、器具本体を天井開口部へ取り付ける際に天井上面に係合する係合片である板バネ２８と、天井下面に接触する天井下部接触部２９とを有している。３０はＶ形線バネ、３０ａはＶ形線バネの先端部に形成された湾曲部である。
【００４７】
器具本体の挿入時には板バネ２８をＶ形線バネの湾曲部３０ａに引っ掛けておき、器具本体の挿入を容易にする。器具本体を更に押し込むと板バネ２８がＶ形バネの先端３０ａから外れ、天井上面に接触して天井下面接触部２９とともに天井造営材を挟持して器具本体が取り付けられる。
【００４８】
この実施例によれば、取付金具を一体の部品として構成できるとともに、板バネ２８の湾曲部３０ａへの引っ掛かりを調整することにより湾曲部３０ａから外れるタイミングを調整できる。なお、図１０においては板バネ２８を天井下面接触部２９の位置で折り曲げて形成しているが、天井の厚みに応じて折り曲げの位置を調節してもよい。
【００４９】
以上、実施例１ないし実施例７においては本発明を天井に取り付ける照明器具に適用した例を示したが、本発明は壁面等に形成された開口部に取り付けられる他の器具にも応用できるものである。
【００５０】
【発明の効果】
請求項１記載の発明に係る器具の取付装置によれば、器具本体を被取付体の開口部に挿入するだけで、保持具の線材の開く力により第１の可動取付具と第２の可動取付具とで被取付体が挟持され、容易に器具を取り付けることができる。
【００５１】
請求項２記載の発明に係る器具の取付装置によれば、器具本体を被取付体の開口部に挿入するだけで容易に器具を取り付けることができるとともに、第２の可動取付具の被取付体側にテーパ面を形成したので器具本体を被取付体の開口部に挿入し易い。
【００５２】
請求項３記載の発明に係る器具の取付装置によれば、器具本体を被取付体の開口部に挿入するだけで容易に器具を取り付けることができるとともに、被取付体側に突出させて形成された第２の可動取付具の被取付体の裏面側開口縁に係合する係合部を保持具の基部側に可動としたため、器具本体を被取付体の開口部に挿入し易い。
【００５３】
請求項４記載の発明に係る器具の取付装置によれば、器具本体を被取付体の開口部に挿入するだけで容易に器具を取り付けることができるとともに、第１の可動取付具を線材で構成しているので軽量化できる。
【００５４】
請求項５記載の発明に係る器具の取付装置によれば、器具本体を被取付体の開口部に挿入するだけで容易に器具を取り付けることができるとともに、保持具を器具本体側へ湾曲させたので、器具本体を被取付体の開口部に挿入し易い。
【００５５】
請求項６記載の発明に係る器具の取付装置によれば、器具本体を被取付体の開口部に挿入するだけで容易に器具を取り付けることができる。
【００５６】
請求項７記載の発明に係る器具の取付装置によれば、器具本体を被取付体の開口部に挿入するだけで容易に器具を取り付けることができるとともに、器具本体を被取付体の開口部に挿入し始めてから取り付けられるまでにある程度の余裕があり取り付けやすい。
【００５７】
請求項８または請求項９記載の発明に係る照明器具によれば、器具本体の取付時に器具本体内の光源等を取り外す必要がなく、容易に取り付けることができるとともに、安全である。
【００５８】
請求項１０記載の発明に係る照明器具によれば、取付が容易で安全であるとともに、部品構成数を低減でき製作コストを低減できる。
【図面の簡単な説明】
【図１】  本発明の実施例１における取付金具と器具本体の斜視図である。
【図２】  実施例１において器具本体を天井開口部に仮吊りした状態の斜視図である。
【図３】  線バネの固定部を拡大した斜視図である。
【図４】  （ａ）天井開口部に取り付けた状態の正面図である。
（ｂ）  天井開口部に取り付けた状態の斜視図である。
【図５】  本発明の実施例２における取付金具と器具本体の斜視図である。
【図６】  本発明の実施例３における取付金具と器具本体の斜視図である。
【図７】  本発明の実施例４における取付金具と器具本体の斜視図である。
【図８】  本発明の実施例５における取付金具と器具本体の斜視図である。
【図９】  本発明の実施例６における取付金具と器具本体の斜視図である。
【図１０】  本発明の実施例７における取付金具と器具本体の斜視図である。
【図１１】  従来の取付金具を示す斜視図である。
【符号の説明】
１  光反射鏡、２  フランジ部、３  線バネ、４  取付金具、５  天井下面当接部、６  Ｌ形可動金具、７  折り曲げ部、８  Ｌ形溝付金具、９  溝部、１０  天井上面当接部、１１  天井上面、１２  天井下面、１３  天井開口部、１４  天井開口部側縁、１５  天井造営材、１６  線バネ、１７  天井下面当接部、１８  Ｌ形可動金具、１９  折り曲げ部、２０  Ｌ形溝付金具、２１  溝部、２２  天井上面当接部、２３  コイルバネ、２４  Ｌ形溝付金具、２５  天井上面当接部、２６  線材、２７  線バネ、２８  板バネ、２９  天井下面当接部、３０  線バネ、３０ａ  湾曲部。
【図１】
0003657658.tif 000002
【図２】
0003657658.tif 000003
【図３】
0003657658.tif 000004
【図４】
0003657658.tif 000005
【図５】
0003657658.tif 000006
【図６】
0003657658.tif 000007
【図７】
0003657658.tif 000008
【図８】
0003657658.tif 000009
【図９】
0003657658.tif 000010
【図１０】
0003657658.tif 000011
【図１１】
0003657658.tif 000012